(57)【要約】【課題】本発明は、インスタントフィルムシートが複数枚積層されて収容されたインスタントフィルムパックが装填されるパック室を備え、そのパック室に装填されたインスタントフィルムパックに収納されたインスタントフィルムシートの搬送とそのインスタントフィルムシートへの画像記録とを行なう画像記録装置に関し、インスタントフィルムシート上に傾きのない画像を記録する。【解決手段】パック室２２に装填されたインスタントフィルムパックを支持する。パック室２２に突出した受け面２２１１，２２１２，２２２１，２２２２，２２３１，２２３２の突出量を異ならせることにより、インスタントフィルムパックを、パック室２２内に傾いた状態に支持する。【選択図】        図１７
2006091519.tif 000002
【特許請求の範囲】
【請求項１】
露光され現像剤の展開を受けることにより画像が記録される画像記録部と該画像記録部よりも搬送方向前端側に設けられた現像剤溜りとを有するインスタントフィルムシートが複数枚積層されて収容されたインスタントフィルムパックが装填されるパック室を備え、該パック室に装填されたインスタントフィルムパックに収納されたインスタントフィルムシートの搬送と該インスタントフィルムシートへの画像記録とを行なう画像記録装置において、
前記パック室の、インスタントフィルムシートの搬送方向後端を区画する後壁に寄った位置であって、かつ一方の側壁に寄った位置において該パック室内に進出し、該パック室内に装填されたインスタントフィルムパック内の１枚のインスタントフィルムシート後端縁に係合して該１枚のインスタントフィルムシートを該インスタントフィルムパックから押し出す押出部材を備え、
前記パック室が、該パック室内に装填されたインスタントフィルムパックを、該インスタントフィルムパック後端面の、前記一方の側壁に対向する他方の側壁に寄った部分が前記搬送方向に持ち上がった斜めの姿勢に支持する支持手段を有することを特徴とする画像記録装置。
【請求項２】
前記支持手段が、前記パック室の、前記搬送方向前端に位置するシート搬送口を避けた左右両脇に、該パック室内に突出して該パック室に装填されたインスタントフィルムパック前端面を支持する一対の受け面を有し、該一対の受け面のうちの前記押出部材が配置された側の横壁に寄った受け面が他方の横壁に寄った受け面よりも大きく突出した受け面であることを特徴とする画像記録装置。
【請求項３】
前記支持手段が、前記パック室の、前記搬送方向に対する両横壁から突出して、該パック室に装填されたインスタントフィルムパックの両側面を支持する複数の受け面を有し、該受け面が、該受け面どうしの突出量の相違により、該インスタントフィルムパックを前記斜めの姿勢に支持するものであることを特徴とする請求項１又は２記載の画像記録装置。
【発明の詳細な説明】
【技術分野】
【０００１】
本発明は、インスタントフィルムシートが複数枚積層されて収容されたインスタントフィルムパックが装填されるパック室を備え、そのパック室に装填されたインスタントフィルムパックに収納されたインスタントフィルムシートの搬送とそのインスタントフィルムシートへの画像記録とを行なう画像記録装置に関する。
【背景技術】
【０００２】
従来より、上述した画像記録装置として、インスタントフィルムシート上に画像を記録するプリンタが知られている。このようなプリンタには、インスタントフィルムシートが複数枚重ねられて収容されたインスタントフィルムパックが装填されるパック室と、パック室を開閉自在に覆うフィルムドアと、装填されているインスタントフィルムパック内の残存枚数を表示する表示部とが備えられている。インスタントフィルムシート上に画像を記録するには、パック室に装填されているインスタントフィルムパック内のインスタントフィルムシートをクロー（爪）で掻き上げて一対の搬送ローラで挟んで搬送し、そのインスタントフィルムシートにレッド（Ｒ），グリーン（Ｇ），ブルー（Ｂ）の発光色を持つ発光素子からの３つの色光を循環的に照射して潜像を書き込み、さらにそのインスタントフィルムシートが有する現像剤溜りを一対の展開ローラで押し潰して現像剤を展開することにより行なう（例えば、特許文献１参照）。
【０００３】
また、特許文献２には、インスタントフィルムパックをパック室に装填したときに、その装填されたインスタントフィルムパックを異なった突起量の突起で受ける構造が示されている。これは傾斜したパックを平行に保持するための形状である。
【特許文献１】特開２００２−２２１７６１号公報
【特許文献２】米国特許第４６６８０６２号公報
【発明の開示】
【発明が解決しようとする課題】
【０００４】
ここで、パック室に装填されているインスタントフィルムパック内のインスタントフィルムシートを掻き上げるクロー（爪）は、通常インスタントフィルムシート後端の、一方の隅に寄った位置を掻き上げるように構成されている。このように一方の隅を掻き上げると、インスタントフィルムパックからインスタントフィルムシートが傾いた状態で送り出され、搬送ローラでそのまま、すなわち傾いたまま搬送されるおそれがあり、傾いたまま搬送されると、その傾いたインスタントフィルムシートに潜像が記録されてインスタントフィルムシート上に傾いた画像が記録されることになり、商品品質上問題がある。
【０００５】
本発明は、上記事情に鑑み、インスタントフィルムシート上に傾きのない画像を記録することのできる画像記録装置を提供することを目的とする。
【課題を解決するための手段】
【０００６】
上記目的を達成する本発明の画像記録装置は、露光され現像剤の展開を受けることにより画像が記録される画像記録部とその画像記録部よりも搬送方向前端側に設けられた現像剤溜りとを有するインスタントフィルムシートが複数枚積層されて収容されたインスタントフィルムパックが装填されるパック室を備え、そのパック室に装填されたインスタントフィルムパックに収納されたインスタントフィルムシートの搬送とそのインスタントフィルムシートへの画像記録とを行なう画像記録装置において、
パック室の、インスタントフィルムシートの搬送方向後端を区画する後壁に寄った位置であって、かつ一方の側壁に寄った位置においてパック室内に進出し、パック室内に装填されたインスタントフィルムパック内の１枚のインスタントフィルムシート後端縁に係合してその１枚のインスタントフィルムシートをインスタントフィルムパックから押し出す押出部材を備え、
上記パック室が、そのパック室内に装填されたインスタントフィルムパックを、そのインスタントフィルムパック後端面の、上記一方の側壁に対向する他方の側壁に寄った部分が搬送方向に持ち上がった斜めの姿勢に支持する支持手段を有することを特徴とする。
【０００７】
本発明の画像記録装置は、パック室が、そのパック室に装填されたインスタントフィルムパックを上記の斜めの姿勢に支持する支持手段を供えたため、その斜めの姿勢に支持されたインスタントフィルムパック内に収納されているインスタントフィルムシートが、そのインスタントフィルムパックの傾きとは逆に傾いて送り出され、結局、インスタントフィルムパックの斜め姿勢が打ち消されてインスタントフィルムシートが正しい姿勢で搬送され、そのインスタントフィルムシートに正しい姿勢の画像が記録される。
【０００８】
ここで、上記本発明の画像記録装置において、上記支持手段が、パック室の、搬送方向前端に位置するシート搬送口を避けた左右両脇に、パック室内に突出してパック室に装填されたインスタントフィルムパック前端面を支持する一対の受け面を有し、それら一対の受け面のうちの押出部材が配置された側の横壁に寄った受け面が他方の横壁に寄った受け面よりも大きく突出した受け面であることが好ましい。
【０００９】
パック室内のインスタントフィルムパックは、押出部材でインスタントフィルムシートが押し出されるときの力で搬送方向前方に寄せられる。したがって、シート搬送口を避けた左右両脇に上記の一対の受け面を設けることにより、パック室内のインスタントフィルムパックを制御された斜めの姿勢に支持することができる。
【００１０】
また、上記本発明の画像記録装置において、上記支持手段が、パック室の、搬送方向に対する両横壁から突出して、そのパック室に装填されたインスタントフィルムパックの両側面を支持する複数の受け面を有し、それらの受け面が、受け面どうしの突出量の相違により、インスタントフィルムパックを上記斜めの姿勢に支持するものであることも好ましい形態である。
【００１１】
このように、インスタントフィルムパックの側面を支持する受け面によりインスタントフィルムパックを制御された斜めの姿勢に支持してもよい。
【発明の効果】
【００１２】
以上説明したように、本発明によれば、パック室に装填されたインスタントフィルムパックを、そのインスタントフィルムパック内から押し出されるインスタントフィルムシートの傾きとは逆に傾けて支持するようにしたため、そのインスタントフィルムパックから押し出されるインスタントフィルムシートは正しい姿勢で搬送され、そこに正しい姿勢の画像が記録される。
【発明を実施するための最良の形態】
【００１３】
以下本発明の実施の形態について説明する。
【００１４】
図１は、本発明の画像記録装置の一実施形態であるプリンタを、斜め前方から見た斜視図である。
【００１５】
このプリンタ１は、携帯電話などと組み合わされて使用されるものであって、露光により潜像が形成された後現像剤が展開されて顕像化されるインスタントフィルムシートが複数枚（ここでは１０枚として説明する）積層されたインスタントフィルムパックがパック室に装填され、そのインスタントフィルムシートを画像データに応じて露光して外部に送り出しながらそのインスタントフィルムシートに現像剤を展開するものである。
【００１６】
携帯電話にはＩｒＤＡ（Ｉｎｆｒａｒｅｄ  Ｄａｔａ  Ａｓｓｏｃｉａｔｉｏｎ）に準拠した赤外線通信を行なえるものがあり、この赤外線通信を使用して自分の持つ情報を他の情報機器へ送信することができ、カメラ付き携帯電話であれば、画像データをこのプリンタ１に送信することができる。このプリンタ１は、そのカメラ付き携帯電話で撮影された画像を表わす画像データまたはメールなどで携帯電話に送信されてきた画像データが赤外線通信を用いてこのプリンタ１に送信されてきたときに、その画像データに基づいてインスタントフィルムシート上に画像の記録を行なうものであり、さらにその送信された画像データに基づく画像の再記録を、携帯電話から再送信をわざわざ行なわなくても、後述するリピートスイッチを操作するという簡単な操作で別のインスタントフィルムシート上に行なえるものである。
【００１７】
このプリンタ１は、図１に示すように薄型で軽量かつ小型の構造を有する可搬型のプリンタであり、３Ｖ用の一次電池が２個内蔵される。このプリンタ１の筐体１ａ内にインスタントフィルムパックが装填され、そのインスタントフィルムパック内の、積層された１０枚のインスタントフィルムシート一枚一枚に画像の記録が行なわれる。
【００１８】
プリンタ１の筐体１ａの上面には操作ボタンとして、このプリンタ１の電源の投入および遮断を指示する電源スイッチ（以下、電源ＳＷと記述する）１１と、送信された画像データに基づく画像の再記録を行なうためのリピートスイッチ（以下、リピートＳＷと記述する）１２が設けられている。また、筐体１ａの上面には、インスタンフィルムシートの残り枚数を示すカウンタ１３が設けられている。このカウンタ１３は機械式のカウンタであり、未使用のインスタントフィルムパックが装填されて電源が投入された時点では残り枚数が１０枚であることを示す数値‘１０’が表示される。以下、インスタントフィルムシートに画像の記録が行なわれる度に枚数が減算された残り枚数を示す数値が表示され、１０枚目のインスタントフィルムシートに画像の記録が行なわれると残り枚数が０枚であることを示す数値‘０’が表示される。
【００１９】
また、このプリンタ１の端部には、送受信部１４が備えられている。この送受信部１４は、前述した赤外線通信により送信されてきた画像データを受信するとともに、受信された旨を相手側に知らせるための信号を送信する。
【００２０】
さらに、このプリンタ１の筐体１ａには、電源が投入されると点灯するとともに赤外線通信時に点滅する電源用ＬＥＤ１５、赤外線通信においてエラーが発生すると点灯する通信エラー用ＬＥＤ１６、および内蔵された電池電圧が低下するとユーザに電池交換を促すために点灯するローバッテリ表示用のＬＥＤ１７が設けられている。
【００２１】
また、プリンタ１の側面には、そのプリンタ１の下面側に設けられた後述するフィルムドアを開放するためのフィルムドア開放スイッチ１８が備えられており、コーナー部にはストラップ取付部１ｂが備えられている。
【００２２】
図２は、図１に示すプリンタにおいて、カメラ付き携帯電話からの画像データに基づいて画像が記録されたインスタントフィルムシートが排出される様子を示す図である。
【００２３】
カメラ付き携帯電話２の赤外線通信部をプリンタ１の送受信部１４に向けた状態で、そのカメラ付き携帯電話２を操作して、カメラ付き携帯電話２で撮影された画像を表わす画像データを赤外線通信を用いてこのプリンタ１に送信する。プリンタ１は、赤外線通信により送信されてきた画像データを受信し、その受信した画像データに基づく潜像の記録を露光によりインスタントフィルムシート１００１上に行ないながら、そのインスタントフィルムシート１００１を現像しつつ、プリンタ１の送出口１９から外部へ徐々に排出する。その後、リピートＳＷ１２が操作されたときにも、その画像と同じ画像の再記録が別のインスタントフィルムシート上に行なわれる。
【００２４】
図３は、図１に示すプリンタの下面側を斜め上方から見た斜視図である。
【００２５】
このプリンタ１の下面側には、図１に示すフィルムドア開放スイッチ１８の操作により開放されるフィルムドア２０が設けられており、このフィルムドア２０が開けられ、インスタントフィルムパックがパック室に装填される。また、フィルムドア２０には、インスタントフィルムパックが装填されているか否かを確認するためのパック在否確認窓２０ａが設けられている。さらに、フィルムドア２０に隣接して、このプリンタ１の電源となる電池を実装するために開放される電池蓋２１も設けられている。
【００２６】
図４は、図３に示すプリンタの、フィルムドアが開けられた状態の斜視図である。
【００２７】
フィルムドア２０の内側には、前述したパック在否確認窓２０ａと、バネ部材２０ｂ，２０ｃが設けられており、これらのバネ部材２０ｂ，２０ｃによってインスタントフィルムパック内に積層されたインスタントフィルムシートがプリンタ１の上面側に押圧される。
【００２８】
また、プリンタ１には、インスタントフィルムパックを装填するためのパック室２２が設けられている。この図４には、このパック室２２には、そのパック室２２内部に突出して、そのパック室２２に装填されたインスタントフィルムパックの、インスタントフィルムシートの搬送方向前端面を支持する受け面２２１１と、そのインスタントフィルムパックの側面を支持する受け面２２２１，２２２２が示されている。このような受け面は、この図４では隠れている部分にも設けられている。これらの受け面については後で詳細に説明する。
【００２９】
パック室２２外の、図４における右側には、搬送するインスタントフィルムシートに画像を書き込む画像書込部３００および媒体搬送展開部３０が設けられている。また、パック室２２内の、図４における下方には、インスタントフィルムシートを画像書込部３００および媒体搬送展開部３０側に送り出させるためのクロー（爪）２４がパック室２２内に突出して移動するためのクロー作動スリット２２０１が形成されている。このような構成によって、インスタントフィルムパック内のインスタントフィルムシートのうちの、プリンタ１の一番上面側にあるインスタントフィルムシートが、そのクロー作動スリット２２０１からパック室２２内に突出したクロー２４で掻き上げられて媒体搬送展開部３０で搬送されながら画像書込部３００で画像が書き込まれて現像される。
【００３０】
図５は、図４に示すプリンタの、筐体が取り外された状態の斜視図である。
【００３１】
図５には、直流モータ４０６と、その直流モータ４０６からの回転駆動力を後述する搬送ローラおよび展開ローラに伝達するギア列３９を備えた媒体搬送展開部３０が示されている。また、この図５には、クロー作動スリット２２０１からパック室２２内に突出したクロー２４、およびパック室２２内に突出しインスタントフィルムパックの装填により押圧される後述するカウンタレバーのリブ１３＿３ａも示されている。
【００３２】
さらに、この図５には、図４にも示す受け面２２１１，２２２１，２２２２のほか、インスタントフィルムパックの前端面を支持するもう１つの受け面２２１２、およびインスタントフィルムパックの側面を支持する２つの受け面２２３１，２２３２が示されている。詳細は後述する。
【００３３】
図６は、プリンタ内部の制御系統を示す構成ブロック図である。
【００３４】
図６の右端側には、図１に示すプリンタ１の模式図が示されており、この右端部を除く全域に、このプリンタ１の制御系統を示す構成が示されている。尚、図６に示す矢印は、このプリンタ１における、制御系統を示す構成要素それぞれの配置関係を示す。
【００３５】
このプリンタ１には、メイン基板部１００と、サブ基板部２００と、画像書込部３００と、ＦＰＩ部４０１と、ＥＮＣＰＩ部４０２と、ＣＯＵＮＴＰＩ部４０３と、カムスイッチ４０４と、前述した送受信部１４に設けられたＩｒＤＡ送受信部４０５と、上述した直流モータ４０６とが備えられている。
【００３６】
サブ基板部２００には、前述した電源ＳＷ１１，リピートＳＷ１２、および表示用ＬＥＤ部２０１が備えられている。表示用ＬＥＤ部２０１には、前述した電源用ＬＥＤ１５，通信エラー用ＬＥＤ１６，ローバッテリ表示用のＬＥＤ１７、およびカウンタ１３の裏側に設けられたカウンタバックライト用のＬＥＤ（図示せず）が備えられている。
【００３７】
画像書込部３００には、光ガイドや液晶シャッタ（ＬＣＳ）等を有する光ヘッド部３０１と、その光ヘッド部３０１とメイン基板部１００とを接続するフレキシブルケーブル３０２，３０３と、フレキシブルケーブル３０３に実装されたレッド（Ｒ），グリーン（Ｇ），ブルー（Ｂ）の発光色を持つ発光素子（ＬＥＤ）３０４，３０５，３０６とが備えられている。この画像書込部３００は、搬送途中のインスタントフィルムシートに、書込指示パルスに同期して送受信部１４により受信した画像データに基づいて、ＬＥＤ３０４，３０５，３０６からのＲ，Ｇ，Ｂの３つの色光を循環的に照射することにより、そのインスタントフィルムシートに潜像を書き込む。また、プリンタ１には、３Ｖ用の一次電池４０７が２個内蔵される。
【００３８】
以下、メイン基板部１００について説明する。メイン基板部１００には、直列接続された一次電池４０７からの６Ｖの電源電圧ＶＢが印加される。このメイン基板部１００には、ＭＰＵ（Ｍｉｃｒｏ  Ｐｒｏｃｅｓｓｏｒ  Ｕｎｉｔ）１０１と、発振子１０２と、リセット回路１０３と、フラッシュメモリ（ＦＬＡＳＨ）１０４と、ＳＤＲＡＭ１０５とが備えられている。
【００３９】
ＭＰＵ１０１は、このプリンタ１の動作を統括的に制御する。
【００４０】
発振子１０２は、所定の周波数の発振信号を生成してＭＰＵ１０１に動作用のクロック信号として供給する。
【００４１】
リセット回路１０３は、ＭＰＵ１０１の初期化を行なうためのリセット信号を出力する。
【００４２】
フラッシュメモリ１０４は、不揮発性のメモリであり、このフラッシュメモリ１０４には、プリンタ１固有の機構等に依存して定まる固体差調整用の調整値等が記憶される。
【００４３】
ＳＤＲＡＭ１０５は、揮発性のメモリであり、このＳＤＲＡＭ１０５には、カメラ付き携帯電話２からの画像データ等が記憶される。
【００４４】
また、このメイン基板部１００には、６Ｖの電源電圧ＶＢを入力して、２．５Ｖの電圧を出力する電源部１０６、３．３Ｖの電圧を出力する電源部１０７、および１５Ｖの電圧を出力するＤＣ／ＤＣコンバータ１０８が備えられている。さらに、ＭＰＵ１０１からの指示を受けてこれら電源部１０６，１０７，ＤＣ／ＤＣコンバータ１０８を制御する電源制御部１０９も備えられている。ここで、２．５Ｖの電圧はＭＰＵ１０１に供給されるとともに３．３Ｖの電圧はＭＰＵ１０１以外の周辺回路に供給される。また、１５Ｖの電圧は、後述するＬＣＤ駆動用として用いられる。
【００４５】
このプリンタ１では、一次電池４０７の長寿命化を図るために、低消費電力モードであるスタンバイモードを有するＭＰＵ１０１を備え、電源ＳＷ１２が押された場合であっても、ＭＰＵ１０１は、初期処理が終了した時点でスタンバイモードとなる。この状態で外部から赤外線通信が行なわれると、スタンバイモードから通常の動作モードに移行してインスタントフィルムシートに画像を記録し、速やかに通常の動作モードからスタンバイモードに移行する。また、リピートＳＷ１２が押された場合もインスタントフィルムシートに画像を記録した後はスタンバイモードになる。さらに、ＭＰＵ１０１が、各部に対して必要な動作時のみ電力を供給するように、電源制御部１０９を介して電源部１０６，１０７，ＤＣ／ＤＣコンバータ１０８を制御する。このようにすることにより、内蔵された一次電池４０７で長期に渡ってこのプリンタ１を使用することができる。
【００４６】
さらに、メイン基板部１００には、ＢＣ部１１０と、ＴＰＧ部１１１と、温度検出部１１２と、発振子１１３と、ＩｒＤＡ／ＬＣＳ制御部１１４と、ヘッドＬＥＤ駆動部１１５とが備えられている。
【００４７】
ＢＣ部１１０は、一次電池４０７の電源電圧ＶＢが所定の値よりも低下したか否かをチェックする。ＭＰＵ１０１は、このチェック結果を参照して一次電池４０７の電源電圧ＶＢが所定の値よりも低下していると判定した場合は、ユーザに電池交換を促すためにローバッテリ表示用のＬＥＤ１７を点灯する。
【００４８】
ＴＰＧ部１１１は、ＤＣ／ＤＣコンバータ１０８から出力される１５Ｖの電圧をオン，オフする。
【００４９】
温度検出部１１２は、画像書込部３００の温度を検出する。ＭＰＵ１０１は、この温度検出部１１２からの検出信号に応じて光学ヘッド部３０１内の液晶シャッタの各シャッタ部のシャッタスピード等を制御する。
【００５０】
発振子１１３は、所定の周波数の発振信号を生成してＩｒＤＡ／ＬＣＳ制御部１１４に供給する。
【００５１】
ＩｒＤＡ／ＬＣＳ制御部１１４は、発振子１１３からの発振信号に基づいてＩｒＤＡ送受信部４０５および光ヘッド部３０１を制御する。ＩｒＤＡ送受信部４０５には赤外線通信を行なうための投光素子および受光素子が備えられており、ＩｒＤＡ／ＬＣＳ制御部１１４は、上記受光素子で光電変換されたデータをＭＰＵ１０１に送ったり、ＭＰＵ１０１からその旨を外部の機器に知らせるためのデータを上記投光素子経由で外部に送信したりする。また、ＩｒＤＡ／ＬＣＳ制御部１１４は、ＭＰＵ１０１からの指示に基づいて、フレキシブルケーブル３０２を介して光ヘッド部３０１に備えられた液晶シャッタを制御する。
【００５２】
ヘッドＬＥＤ駆動部１１５は、ＭＰＵ１０１の指示に基づいた電流を、フレキシブルケーブル３０３を経由してＬＥＤ３０４，３０５，３０６に流すことにより、それらＬＥＤ３０４，３０５，３０６を駆動する。
【００５３】
本実施形態のプリンタ１は、インスタントフィルムシートを直流モータ４０６で所定の副走査方向（インスタントフィルムシートが送り出される方向）に送りながら、そのインスタントフィルムシート上にその副走査方向に関しＲ，Ｇ，Ｂの３色の色について循環的に書き込むとともに、その副走査方向に交わる主走査方向については、その主走査方向に並ぶ全画素について、同時に同じ色の書き込みを行なうことにより、そのインスタントフィルムシート上にカラー画像を記録するプリンタである。
【００５４】
カラー画像を記録するにあたり、画像書込部３００を構成する光学ヘッド部３０１には、フレキシブルケーブル３０２を介してＩｒＤＡ／ＬＣＳ制御部１１４から画像データに応じた制御信号が供給される。この制御信号は光学ヘッド部３０１内の液晶シャッタの各シャッタ部のシャッタスピードを制御するものである。この各シャッタ部のシャッタスピードが画像データに応じて制御され、フレキシブルケーブル３０３に備えられたＬＥＤ３０４，３０５，３０６からのＲＧＢそれぞれに対応する光がインスタントフィルムシート上に照射され、インスタントフィルムシートの幅方向に多数の光点（ドット）からなる潜像が記録される。この幅方向つまり一次元的に各シャッタ部が配列されている方向が、主走査方向である。従って、この各シャッタ部が主走査方向に電子的に走査されて１ライン分の光点（全画素）がインスタントフィルムシート上に記録される。この光学ヘッド部３０１の電子走査によってインスタントフィルムシートの主走査方向に多数のドットからなる光点が記録される。また、上述したように、本実施形態では、直流モータ４０６によりインスタントフィルムシートが副走査方向に送られている。従って、副走査方向についても画像書込部３００によって多数のドット毎に光点が順次記録されていくこととなる。
【００５５】
さらに、メイン基板部１００には、ＰＩ駆動部１１６が備えられている。このＰＩ駆動部１１６は、ＦＰＩ部４０１，ＥＮＣＰＩ部４０２，ＣＯＵＮＴＰＩ部４０３を駆動する。ここで、ＦＰＩ部４０１，ＥＮＣＰＩ部４０２，ＣＯＵＮＴＰＩ部４０３について説明する。
【００５６】
ＦＰＩ部４０１は、インスタントフィルムシートの有無を検出するためのフォトインタラプタである。
【００５７】
ＥＮＣＰＩ部４０２は、直流モータ４０６の回転に同期したパルス列からなるエンコード信号を出力するためのフォトインタラプタである。
【００５８】
ＣＯＵＮＴＰＩ部４０３は、カウンタ１３の初期位置を検知するためのフォトインタラプタである。
【００５９】
また、メイン基板部１００には、カムスイッチ４０４が接続されている。このカムスイッチ４０４は、このプリンタ１の搬送機構における初期位置をモニタするためのスイッチである。
【００６０】
さらに、メイン基板部１００には、モータ駆動部１１７が備えられている。このモータ駆動部１１７は、ＭＰＵ１０１からの指示を受けて、ＥＮＣＰＩ部４０２から出力されたエンコード信号のパルス列の時間間隔が所定の時間間隔となるように直流モータ４０６の回転速度を制御する。
【００６１】
図７は、インスタントフィルムシートの露光面を示す斜視図、図８は、インスタントフィルムシートの観察面を示す斜視図である。
【００６２】
図７には、インスタントフィルムシート１００１の露光面１００１＿１が示されている。この露光面１００１＿１には、インスタントフィルムシート１００１の搬送方向先端部に配備された現像剤溜り１００１ａと、画像が露光される露光部１００１ｂと、余白部１００１ｃと、余った現像剤を吸収するトラップ部１００１ｄとが設けられている。また、図８には、インスタントフィルムシート１００１の観察面１００１＿２側が示されている。この観察面１００１＿２には、露光により潜像が形成され現像剤の展開を受けて顕像化された画像を観察するための観察部１００１ｅと、余白部１００１ｆが設けられている。
【００６３】
図９は、媒体搬送展開部の断面図である。
【００６４】
媒体搬送展開部３０には、インスタントフィルムシート１００１の両側部を挟んでそのインスタントフィルムシート１００１を搬送する一対の搬送ローラ３１，３２が備えられている。搬送ローラ３２は、バネ部材３５＿１で搬送ローラ３１側に付勢されている。
【００６５】
また、媒体搬送展開部３０には、上記一対の搬送ローラ３１，３２よりもインスタントフィルムシート１００１の搬送方向下流側に配備され、そのインスタントフィルムシート１００１を全幅に亘って挟んで現像剤溜り１００１ａを押し潰して現像剤を展開する一対の展開ローラ３３，３４が備えられている。展開ローラ３４は、バネ部材３５＿２で展開ローラ３３側に付勢されている。
【００６６】
さらに、媒体搬送展開部３０には、搬送ローラ３１，３２と展開ローラ３３，３４との間に位置して展開中の現像剤を制御するための制御板３６，インスタントフィルムシート１００１を展開ローラ３３，３４へと案内するフィルムガイド３７と、インスタントフィルムシート１００１を外部に案内するためのフィルム案内フレーム３８が備えられている。また、インスタントフィルムパック２５の出口近傍には、画像書込部３００が設けられている。
【００６７】
本実施形態のプリンタ１は、インスタントフィルムパック２５内のインスタントフィルムシート１００１のうちの、プリンタ１の一番上面側にあるインスタントフィルムシート１００１を、所定の搬送開始点Ｐｓからクロー２４（図４、図５参照）で掻き上げて、搬送ローラ３１，３２で搬送しながら画像書込部３００で固定書込点Ｐｆにて画像を書き込み始める。さらに、このプリンタ１は、インスタントフィルムシート１００１に画像を書き込みながら搬送ローラ３１，３２でインスタントフィルムシート１００１を搬送し、展開ローラ３３，３４で現像剤溜り１００１ａを押し潰して現像剤を展開し、展開中の現像剤を制御板３６，フィルムガイド３７で制御して現像を行なって所定の搬送終了点Ｐｅまで搬送する。このようにして、１枚のインスタントフィルムシート１００１上に画像を記録する。
【００６８】
図１０は、本実施形態のプリンタを表面側から見た場合の、筐体が取り外された状態の斜視図、図１１は、図１０に示すプリンタに文字板が取付けられた状態の斜視図である。
【００６９】
このプリンタ１には、図１０に示すように、パック室２２が内包された箱体５１と、その箱体５１の上面に配備されたカバー部材２７と、カウンタ１３を構成するカウンタ部１３＿１０とが設けられている。また、この図１０には、パック室２２を開閉自在に覆うフィルムドア２０が示されている。フィルムドア２０には、斜面部２０ｄ１を有するリブ２０ｄが立設されている。
【００７０】
カウンタ１３を構成するカウンタ部１３＿１０には、直流モータ４０６（図５参照）の回転駆動力を伝達するウォームギア３９＿１１を介して駆動するギア１３＿１が備えられている。ギア１３＿１の上部には、図１１に示す文字板１３＿５が載置される。この文字板１３＿５は、透かし文字からなる‘Ｓ’および‘１０‘〜‘０’を有する。また、文字板１３＿５の下部には、図示しないＬＥＤが配置されており、このＬＥＤで文字板１３＿５を裏から照射（バックライト）することにより、カウンタ１３の表示を見易くしている。尚、この図１１に示す文字板１３＿５は、図１に示すカウンタ１３の窓から数値‘８’が見える位置にある。また、この文字板１３＿５は、数値‘７’と数値‘８’の間に切欠１３＿５ａを有する。
【００７１】
未使用のインスタントフィルムパックには遮光板が備えられており、未使用のインスタントフィルムパックが装填された時点では、切欠１３＿５ａはＣＯＵＮＴＰＩ部４０３の監視場所に位置し、上記窓の場所には、その装填されたインスタントフィルムパックが未使用であることを示す透かし文字‘Ｓ’が位置している。ここで、電源が投入されると、ＣＯＵＮＴＰＩ部４０３で切欠１３＿５ａが検出され、これにより、前述したクロー（爪）により遮光板が開けられてインスタントフィルムシートが使用開始状態となり、さらにカウンタ１３が作動し文字板１３＿５が反時計方向に回転して残り枚数が１０枚であることを示す数値‘１０’がバックライト表示される。その後、インスタントフィルムシートに画像の記録が行なわれる度に枚数が減算された残り枚数を示す数値が表示され、１０枚目のインスタントフィルムシートに画像の記録が行なわれると残り枚数が０枚であることを示す数値‘０’がバックライト表示されることとなる。
【００７２】
また、カウンタ部１３＿１０には、ギア１３＿１を時計方向に付勢するバネ部材１３＿２と、先端部がギア１３＿１の歯に係合するカウンタレバー１３＿３と、一端がカウンタレバー１３＿３に保持されるとともに他端が部材２６に保持されてそのカウンタレバー１３＿３を付勢するバネ部材１３＿４とが備えられている。カウンタレバー１３＿３には、インスタントフィルムパックの装填により押圧されるリブ１３＿３ａと、フィルムドア２０に立設されたリブ２０ｄの斜面部２０ｄ１に案内される斜面部１３＿３ｂ１を有するリブ１３＿３ｂが備えられている。
【００７３】
上述したカウンタ部１３＿１０を備えたカウンタ１３は、パック室２２内に装填されたインスタントフィルムパック内のインスタントフィルムシートの搬送シーケンスに連動したカウント動作を行なうカウンタである。このカウンタ１３は、詳細は後述するが簡単な構成で実現することのできるラチェット式カウンタであり、このような機械式のカウンタを備えることにより、一次電池４０７が抜かれた場合であってもインスタントフィルムシート１００１の枚数を記憶しておくメモリを備える必要もない。
【００７４】
このカウンタ１３は、フィルムドア２０の開放とパック室２２内のインスタントフィルムパックの取出しとの双方があったときに、バネ部材１３＿４によりカウンタレバー１３＿３が矢印Ａ方向に回動して、そのカウンタレバー１３＿３の先端部がギア１３＿１の歯から外れ、これによりバネ部材１３＿２でギア１３＿１が初期状態にリセットされる。このようにすることにより、誤ってフィルムドア２０を一旦開け、誤りに気づいてそのまま閉じるという操作を行なった場合であってもカウンタ１３がリセットされることはなく、従って実際に撮影可能な残存フィルム枚数とカウンタ１３に表示された残存フィルム枚数とが異なってしまうという問題が解消される。
【００７５】
また、本実施形態のプリンタ１は、フィルムドア２０の閉とパック室２２内へのインスタントフィルムパックの装填とのいずれか一方があったときに、その後の搬送シーケンスに連動したカウント動作を行なうことのできる準備状態にセットされる。このため、例えばパック室２２内にインスタントフィルムパックが装填されていない状態でフィルムドア２０が閉じられた場合は、その後の搬送シーケンスに連動したカウント動作が行なわれることのできる準備状態にセットされる。具体的には、フィルムドア２０に立設されたリブ２０ｄの斜面部２０ｄ１が、カウンタレバー１３＿３に設けられたリブ１３＿３ｂの斜面部１３＿３ｂ１に案内されて、カウンタレバー１３＿３の先端部がギア１３＿１の歯に係合する。このような状態において、赤外線通信等を使用して一連のシーケンスを実行して動作確認を行なうことができる。
【００７６】
図１２は、図１０に示すプリンタの、インスタントフィルムパックが装填されてフィルムドアが閉じられた状態の断面図である。
【００７７】
図１２には、フィルムドア２０と、そのフィルムドア２０に設けられたリブ２０ｄと、カウンタレバー１３＿３と、そのカウンタレバー１３＿３に設けられたリブ１３＿３ｂとが示されている。また、複数枚のインスタントフィルムシート１００１が積層されたインスタントフィルムパック２５も示されている。ここでは、インスタントフィルムパック２５が装填されてフィルムドア２０が閉じられた状態にあり、このような状態では、フィルムドア２０のリブ２０ｄで、カウンタレバー１３＿３のリブ１３＿３ｂが押圧されているため、以下に説明する図１３に示すように、カウンタレバー１３＿３の先端部はギア１３＿１の歯に係合している。
【００７８】
図１３は、図１０に示すプリンタの、カバー部材を取り外した状態の平面図である。
【００７９】
図１３には、前述したカウンタ部１３＿１０と、矢印Ａ方向に回転するウォームギア３９＿１１と、そのウォームギア３９＿１１からの回転駆動力を受けて矢印Ｂ方向に回転する３回転カム６１と、３回転カム６１に連動して回転するギア６２と、そのギア６２に噛合して矢印Ｃ方向に回転するギア６３と、そのギア６３からの回転駆動力を受けて矢印Ｄ方向に回転する一回転カム６４とが示されている。ここで、一回転カム６４は、一回転することにより搬送の一連のシーケンスを完了させるカムであり、３回転カム６１が３回転すると一回転する。また、一回転カム６４の上部には、一連のシーケンスの初期位置をモニタするためのカムスイッチ４０４が載置されている。
【００８０】
さらに、図１３には、クロープレート６５と、このクロープレート６５を付勢するバネ部材６６が示されている。クロープレート６５には、クロー２４を案内するための直進ガイド溝６５ａと、バネ部材６６を保持する保持部材６５ｂが設けられている。
【００８１】
前述した図１２に示すように、インスタントフィルムパック２５が装填されてフィルムドア２０が閉じられた状態では、カウンタレバー１３＿３の先端部はギア１３＿１の歯に係合している。ここで、ウォームギア３９＿１１が矢印Ａ方向に回転すると、３回転カム６１が矢印Ｂ方向に回転して、クロープレート６５がウォームギア３９＿１１の方向に上昇を開始する。クロープレート６５が上昇を開始すると、そのクロープレート６５に設けられた直進ガイド溝６５ａに案内されてクロー２４が上昇する。これにより、インスタントフィルムシート１００１の掻き上げが開始される。また、３回転カム６１に連動してギア６２が回転し、このギア６２の回転駆動力がギア６３に伝達される。これにより、ギア６３が矢印Ｃ方向に回転する。このギア６３には爪６３ａが備えられており、この爪６３ａが、カウンタ１３のギア１３＿１の歯を下側に押すように働く。すると、ギア１３＿１が矢印Ｅ方向に回転し、カウンタレバー１３＿３の、ギア１３＿１の歯に係合している先端部がその歯を乗り越えて次の上側の歯に係合する。一連のシーケンスにおいては、このような動作が２回繰り返される。即ち、一連のシーケンスにおいては、カウンタ１３のギア１３＿１が２歯分だけ矢印Ｅ方向に回転する。これにより、文字板１３＿５が、その数値を１つだけ減算する方向に回動する。このようにして、インスタントフィルムシート１００１が排出される度にカウンタ１３の数値が１つづつ減算される。
【００８２】
ここで、カウンタ１３は、パック室２２に装填されたインスタントフィルムパック２５内のインスタントフィルムシートの露光面と向き合う面と同じ側の面に設置されている。プリンタ１の、インスタントフィルムシート１００１の露光面と向き合う面の面積は広く、このため面積制約が緩和された大きなカウンタ１３が実現されている。従って、インスタントフィルムシート１００１の残り枚数を示す数字は大きく、前述したバックライトによる文字板１３＿５の照射と相俟って見やすい表示が実現されている。
【００８３】
次にパック室の構造および作用について説明する。
【００８４】
図１４は、特に工夫のないパック室の場合の問題点の説明図である。
【００８５】
パック室２２には、インスタントフィルムパック２５が装填され、そのインスタントフィルムパック２５からインスタントフィルムシート１００１が矢印Ａ方向に押し出されて搬送ローラにより矢印Ｂ方向に搬送されるが、この押し出しにあたっては、パック室２２に設けられたクロー作動スリット２２０１からクロー（爪）２４（図４参照）がパック室２２に突出し、そのクロー（爪）２４がさらにインスタントフィルムパック２５内に入り込んでそのインスタントフィルムパック２５に収納されたインスタントフィルムシートの中の１枚のインスタントフィルムシート１００１の後端縁に係合してその１枚のインスタントフィルムシート１００１を矢印Ａ方向に押し上げる。ここで、インスタントフィルムパック２５の内部は、そこに収納されているインスタントフィルムシートの寸法よりも若干広めに形成されており、パック室２２に設けられたクロー作動スリット２００１およびそのクロー作動スリット２００１からパック室２２内に進出するクロー（爪）は、そのパック室２２の、インスタントフィルムシートの搬送方向（矢印方向）後端を区画する後壁２２ａに寄った位置であって、かつそのパック室２２の一方の側壁２２ｂに寄った位置に設けられているため、そのクロー作動スリット２００１からパック室２２内およびインスタントフィルムパック２５内に入り込んだクロー（爪）によりインスタントフィルムシート１００１が押し上げられると、図１４に示すように、画像書込部３００（図４参照）に設けられた光ヘッド部３０１に対し斜めの姿勢となり矢印Ｂ方向にその斜めの姿勢のまま搬送される。すると、その光ヘッド部３０１でＲ，Ｇ，Ｂの色光が照射されて記録される潜像がそのインスタントフィルムシート１００１に対し傾いてしまい、そのインスタントフィルムシート１００１に傾いた画像１００１ｇが記録されることになる。
【００８６】
図１５は、図１４を参照して説明した問題点の解決策の説明図である。
【００８７】
インスタントフィルムパック２５は、そのインスタントフィルムパック２５の後端面２５ａのクロー作動スリット２２０１が設けられた側の側壁２２ｂとは反対側の側壁２２ｃに寄った部分が搬送方向に持ち上がった斜めの形状に支持される。すなわち、このインスタントフィルムパック２５は、そのインスタントフィルムパック２５からクロー（爪）で押し出されることによるインスタントフィルムシート１００１の傾きとは逆方向に傾いた姿勢でパック室２２内に収納される。したがって、そのインスタントフィルムパック２５からクロー（爪）で押し出されたインスタントフィルムシート１００１は、光ヘッド部３０１に対し正しい姿勢で搬送されそのインスタントフィルムシート１００１には傾きのない正しい姿勢の画像１００１ｇが形成される。
【００８８】
図１６は、本実施形態のプリンタ１のパック室２２内にインスタントフィルムパック２５が装填された状態を示す、パック室側から見た平面図である。
【００８９】
パック室２２内のインスタントフィルムパック２２は、インスタントフィルムシートの搬送方向（矢印Ｂ方向）に対し、図１６の右側に角度αだけ傾いた状態に支持されている。
【００９０】
図１７〜図１９は、本実施形態のプリンタ１の、パック室内の形状を示す、パック室側から見た、それぞれ、平面図、斜視図、および別の角度から見た斜視図である。
【００９１】
このパック室２２は、そのパック室２２の、搬送方向（矢印Ｂ方向）前端を区画するシート搬送口２２ｄを避けた左右両脇に、パック室２２内に突出して、インスタントフィルムパック前端面２５ｄ（図１６参照）を支持する一対の受け面２２１１，２２１２を有する。この一対の受け面２２１１，２２１２のうちの、クロー（爪）がパック室２２内に突出して作動するクロー作動スリット２２０１が設けられた側のパック室２２の横壁２２ｂに寄った受け面２２１１は、もう一方の横壁２２ｃに寄った受け面２２１２よりも大きく突出している。クロー作動スリット２２０１からクロー（爪）が突出して、パック室２２に装填されているインスタントフィルムパック内のインスタントフィルムシートが押し出されると、インスタントフィルムパック自体も搬送方向（図１６の矢印Ｂ方向）の力を受け、そのインスタントフィルムパックの前端面が一対の受け面２２１１，２２１２で支持される。したがって、この一対の受け面２２１１，２２１２の突出量を相互に異ならせておくことにより、パック室２２内のインスタントフィルムパック２５を、図１６に示すような、角度αだけ傾いた姿勢に支持することができる。
【００９２】
また、このパック室２２は、そのパック室２２の右側の側壁２２ｂからパック室２２内に突出してそのパック室２２に装填されたインスタントフィルムパック２５の右側の側面２５ｂ（図１６参照）を支持する２つの受け面２２２１，２２２２と、パック室２２の左側の側壁２２ｃからパック室２２内に突出してそのパック室２２に装填されたインスタントフィルムパック２５の左側の側面２５ｃ（図１６参照）を支持する２つの受け面２２３１，２２３２を有する。
【００９３】
ここで、パック室２２の右側の側壁２２ｂからパック室２２内に突出した２つの受け面２２２１，２２２２のうち、クロー作動スリット２２０１に近い側の受け面２２２２は、その突出量がもう一方の受け面２２２１の突出量よりも大きく形成されており、また、パック室２２の左側の側壁２２ｃからパック室２２内に突出した２つの受け面２２３１，２２３２のうちの、カウンタレバーのリブ１３＿３ａに近い受け面２２３１は、その突出量がもう一方の受け面２２３２の突出量よりも大きく形成されている。また、このパック室２２に装填されたインスタントフィルムパック２５は、カウンタレバーのリブ１３＿３ａにより図１６に示す角度αを形成する方向に付勢されている。
【００９４】
したがって、パック室２２に装填されたインスタントフィルムパック２５は、その左右の側面を支持する４つの受け面２２２１，２２２２，２２３１，２２３２によっても、図１６に示すように角度αだけ傾いた姿勢に支持される。
【００９５】
本実施形態のプリンタ１では、パック室２２に突出した受け面２２１１，２２１２，２２２１，２２２２，２２３１，２２３２の突出量を異ならせておくことにより、そのパック室２２に装填されたインスタントフィルムパックが所期の斜めの姿勢に支持され、その斜めの姿勢に支持されたインスタントフィルムパックから押し出されたインスタントフィルムシートは、搬送方向に対し正しい姿勢で搬送されそのインスタントフィルムシート上に、傾きの正しい姿勢の画像が記録される。
【図面の簡単な説明】
【００９６】
【図１】本発明の画像記録装置の一実施形態であるプリンタを、斜め前方から見た斜視図である。
【図２】図１に示すプリンタにおいて、カメラ付き携帯電話からの画像データに基づいて画像が記録されたインスタントフィルムシートが排出される様子を示す図である。
【図３】図１に示すプリンタの下面側を斜め上方から見た斜視図である。
【図４】図３に示すプリンタの、フィルムドアが開けられた状態の斜視図である。
【図５】図４に示すプリンタの、筐体が取り外された状態の斜視図である。
【図６】プリンタ内部の制御系統を示す構成ブロック図である。
【図７】インスタントフィルムシートの露光面を示す斜視図である。
【図８】インスタントフィルムシートの観察面を示す斜視図である。
【図９】媒体搬送展開部の断面図である。
【図１０】本実施形態のプリンタを表面側から見た場合の、筐体が取り外された状態の斜視図である。
【図１１】図１０に示すプリンタに文字板が取付けられた状態の斜視図である。
【図１２】図１０に示すプリンタの、フィルムドアが閉じられた状態の断面図である。
【図１３】図１０に示すプリンタの、カバー部材を取り外した状態の平面図である。
【図１４】特に工夫のないパック室の場合の問題点の説明図である。
【図１５】図１４を参照して説明した問題点の解決策の説明図である。
【図１６】パック室内にインスタントフィルムパックが装填された状態を示す、パック室側から見た平面図である。
【図１７】パック室内の形状を示す、パック室側から見た平面図である。
【図１８】パック室内の形状を示す、パック室側から見た斜視図である。
【図１９】パック室内の形状を示す、別の角度から見た斜視図である。
【符号の説明】
【００９７】
１  プリンタ
１ａ  筐体
１ｂ  ストラップ取付部
２  カメラ付き携帯電話
１１  電源スイッチ（電源ＳＷ）
１２  リピートスイッチ（リピートＳＷ）
１３  カウンタ
１３＿１，６２，６３  ギア
１３＿２，１３＿４，６６  バネ部材
１３＿３  カウンタレバー
１３＿３ａ，１３＿３ｂ，２０ｄ  リブ
１３＿３ｂ１，２０ｄ１  斜面部
１３＿５  文字板
１３＿５ａ  切欠
１３＿１０  カウンタ部
１４  送受信部
１５  電源用ＬＥＤ
１６  通信エラー用ＬＥＤ
１７  ローバッテリ表示用のＬＥＤ
１８  フィルムドア開放スイッチ
１９  送出口
２０  フィルムドア
２０ａ  パック在否確認窓
２０ｂ，２０ｃ，３５＿１，３５＿２，６６  バネ部材
２１  電池蓋
２２  パック室
２２ａ    後壁
２２ｂ    一方の側壁
２２ｃ    反対側の側壁
２２ｄ    シート搬送口
２３  搬送ローラ
２４  クロー
２５  インスタントフィルムパック
２５ｂ    右側の側面
２５ｃ    左側の側面
２５ｄ    インスタントフィルムパック前端面
２６  部材
２７  カバー部材
３０  媒体搬送展開部
３１，３２  搬送ローラ
３３，３４  展開ローラ
３６  制御板
３７  フィルムガイド
３８  フィルム案内フレーム
３９  ギア列
３９＿１１  ウォームギア
５１  箱体
６１  ３回転カム
６１ａ  係合部材
６３ａ  爪
６４  一回転カム
６５  クロープレート
６５ａ  直進ガイド溝
６５ｂ  支持部材
１００  メイン基板部
１０１  ＭＰＵ
１０２，１１３  発振子
１０３  リセット回路
１０４  フラッシュメモリ
１０５  ＳＤＲＡＭ
１０６，１０７  電源部
１０８  ＤＣ／ＤＣコンバータ
１０９  電源制御部
１１０  ＢＣ部
１１１  ＴＰＧ部
１１２  温度検出部
１１４  ＩｒＤＡ／ＬＣＳ制御部
１１５  ヘッドＬＥＤ駆動部
１１６  ＰＩ駆動部
１１７  モータ駆動部
２００  サブ基板部
２０１  表示用ＬＥＤ部
３００  画像書込部
３０１  光ヘッド部
３０２，３０３  フレキシブルケーブル
３０４，３０５，３０６  発光素子（ＬＥＤ）
４０１  ＦＰＩ部
４０２  ＥＮＣＰＩ部
４０３  ＣＯＵＮＴＰＩ部
４０４  カムスイッチ
４０５  ＩｒＤＡ送受信部
４０６  直流モータ
４０７  一次電池
１００１  インスタントフィルムシート
１００１＿１  露光面
１００１＿２  観察面
１００１ａ  現像剤溜まり
１００１ｂ  露光部
１００１ｃ，１００１ｆ  余白部
１００１ｄ  トラップ部
１００１ｅ  観察部
１００１ｇ    画像
２２１１，２２１２，２２２１，２２２２，２２３１，２２３２    受け面
【図１】
2006091519.tif 000003
【図２】
2006091519.tif 000004
【図３】
2006091519.tif 000005
【図４】
2006091519.tif 000006
【図５】
2006091519.tif 000007
【図６】
2006091519.tif 000008
【図７】
2006091519.tif 000009
【図８】
2006091519.tif 000010
【図９】
2006091519.tif 000011
【図１０】
2006091519.tif 000012
【図１１】
2006091519.tif 000013
【図１２】
2006091519.tif 000014
【図１３】
2006091519.tif 000015
【図１４】
2006091519.tif 000016
【図１５】
2006091519.tif 000017
【図１６】
2006091519.tif 000018
【図１７】
2006091519.tif 000019
【図１８】
2006091519.tif 000020
【図１９】
2006091519.tif 000021